(57)【特許請求の範囲】
【請求項１】
表面を有し、第１軸及び前記第１軸と直交する第２軸を含む所定面と前記表面とがほぼ平行となるように配置される光変調素子と、
前記第１軸と平行な方向に関して前記表面の端部と対向して配置され、前記表面が面する空間に空気を送風する第１給気口と、
前記第２軸と平行な方向に関して前記第１給気口の第１側に配置され、前記空間に空気を送風する第２給気口と、
空気を送出可能な空気供給装置と、
前記空気供給装置からの空気を前記第１給気口と前記第２給気口とのそれぞれに分配する流路形成部材と、を備え、
前記第１側は前記流路形成部材における流路下流側であり、
前記第２給気口の開口面積は、前記第１給気口の開口面積よりも小さいプロジェクター。
【請求項２】
前記第２軸と平行な方向に関して前記第１給気口の前記第１側とは反対側の第２側の開口端は、前記第２軸と平行な方向における前記第２側の前記表面よりも前記第２側に配置される請求項１に記載のプロジェクター。
【請求項３】
前記第２軸と平行な方向に関して前記第２給気口の前記第２側の開口端は、前記表面の中心よりも前記第１側に配置される請求項２に記載のプロジェクター。
【請求項４】
前記第２軸と平行な方向に関して前記第１給気口の前記第１側の開口端は、前記表面の中心よりも前記第１側に配置される請求項２又は３に記載のプロジェクター。
【請求項５】
前記流路形成部材は、前記第２給気口からの前記空気の送風方向を前記第１側とは反対側の第２側に傾斜させる傾斜部を備える請求項１〜４のいずれか一項に記載のプロジェクター。
【請求項６】
前記第１、第２給気口は、前記第１給気口からの空気と前記第２給気口からの空気とが前記表面の中心で衝突するように、それぞれ給気される前記空気の角度が異なっている請求項１に記載のプロジェクター。
【請求項７】
前記第２軸と平行な方向に関して前記第１給気口の前記第１側の開口端は、前記表面の中心よりも前記第１側とは反対側の第２側に配置される請求項６に記載のプロジェクター。
【請求項８】
前記第２軸と平行な方向に関して前記第２給気口の前記第２側の開口端は、前記表面の中心よりも前記第１側に配置される請求項７に記載のプロジェクター。
【請求項９】
前記第１給気口の前記第２側の開口端側の斜面の前記表面の中心に対する角度は、前記第２給気口の前記第１側の開口端側の斜面の前記表面の中心に対する角度と同じであり、
前記第１給気口の前記第１側の開口端側の斜面の前記表面の中心に対する角度は、前記第２給気口の前記第２側の開口端側の斜面の前記表面の中心に対する角度と異なる請求項８に記載のプロジェクター。
【発明の詳細な説明】
【技術分野】
【０００１】
本発明は、プロジェクターに関する。
【背景技術】
【０００２】
従来より、光源から射出された光束を画像情報に応じて変調して投影するプロジェクターにおいて、光変調素子等の光学素子に空気を送風して、その光学素子を冷却する構成が知られている（例えば、特許文献１参照）。このようなプロジェクターでは、ファンを使って空気を取り入れ、その取り入れた空気を、流路を介して光学素子に送風する構成となっている。
【先行技術文献】
【特許文献】
【０００３】
【特許文献１】特開２００９―０８６１８１号公報
【発明の概要】
【発明が解決しようとする課題】
【０００４】
しかしながら、従来のプロジェクターは、ファンを複数有しており、複数のファンのそれぞれから送られた空気を光学素子に供給していた。そのため、空気を送るのに効率が低く、また、プロジェクターが大型化してしまっていた。また、複数のファンを制御する必要があり、ファン制御が複雑化していた。
【０００５】
本発明の態様は、装置の大型化、複雑化を抑制でき、光学素子を効率良く冷却できるプロジェクターを提供することを目的とする。
【課題を解決するための手段】
【０００６】
本発明の一態様に従えば、表面を有し、第１軸及び前記第１軸と直交する第２軸を含む所定面と前記表面とがほぼ平行となるように配置される光変調素子と、前記第１軸と平行な方向に関して前記表面の端部と対向して配置され、前記表面が面する空間に空気を送風する第１給気口と、前記第２軸と平行な方向に関して前記第１給気口の第１側に配置され、前記空間に空気を送風する第２給気口と、空気を送出可能な空気供給装置と、前記空気供給装置からの空気を前記第１給気口と前記第２給気口とのそれぞれに分配する流路形成部材と、を備え、前記第１側は前記流路形成部材における流路下流側であり、前記第２給気口の開口面積は、前記第１給気口の開口面積よりも小さいプロジェクターが提供される。
本発明の一態様に従えば、表面を有し、第１軸及び前記第１軸と直交する第２軸を含む所定面と前記表面とがほぼ平行となるように配置される光変調素子と、前記第１軸と平行な方向に関して前記表面の端部と対向して配置され、前記表面が面する空間に空気を送風する第１給気口と、前記第２軸と平行な方向に関して前記第１給気口の第１側に配置され、前記空間に空気を送風する第２給気口と、空気を送出可能な空気供給装置と、前記空気供給装置からの空気を前記第１給気口と前記第２給気口とのそれぞれに分配する流路形成部材と、を備えるプロジェクターが提供される。
【０００７】
本発明の一態様によれば、流路形成部材を設けたので、１つの空気供給装置から第１、第２給気口のそれぞれに空気を供給することができる。そのため、装置の大型化が抑制される。また、空気供給装置が１つでよいため、制御の複雑化が抑制される。また、光変調素子の表面の端部と対向するように、表面が面する空間に空気を供給可能な第１、第２給気口を設けたので、光変調素子を効率良く冷却できる。また、第１、第２給気口が、第２軸に沿って配置されているため、空間において所望の気流を生成できる。したがって、冷却効率の向上が図れる。また、１つの空気供給装置からの空気を、第１給気口及び第２給気口のそれぞれから空間に送風することにより、例えば１つの給気口から空気を送風する場合に比べて、良好な冷却効率を得ることができる。具体的には、第１給気口の面積Ｗ１の第２給気口の面積Ｗ２との和をＷとした場合、面積がＷである１つの給気口から空気を送風する場合に比べて、風量は同等で高い流速が得られる。そのため、良好な冷却効率を得ることができる。
【０００８】
前記第１側は前記流路形成部材における流路下流側であり、前記第２給気口の開口面積は、前記第１給気口の開口面積よりも小さい構成でもよい。流路形成部材を流れる空気の方向に沿って第１、第２給気口が配置された場合に上記構成とすることにより、第１給気口から送風される空気の流速と、第２給気口から送風される空気の流速とを異ならせることができる。したがって、空間において所望の空気の流れを生成でき、高い冷却効率を得ることができる。
【０００９】
前記第２軸と平行な方向に関して前記第１給気口の前記第１側とは反対側の第２側の開口端は、前記第２軸と平行な方向における前記第２側の前記表面よりも前記第２側に配置される構成でもよい。こうすることにより、第１給気口からの空気は、空間（表面）の広い領域に供給される。
【００１０】
前記第２軸と平行な方向に関して前記第２給気口の前記第２側の開口端は、前記表面の中心よりも前記第１側に配置される構成でもよい。こうすることにより、第１給気口からの空気の流れを第２給気口からの空気によって良好に制御でき、空間において所望の気流を生成できる。
【００１１】
前記第２軸と平行な方向に関して前記第１給気口の前記第１側の開口端は、前記表面の中心よりも前記第１側に配置される構成でもよい。こうすることにより、第１給気口からの空気は、空間（表面）の広い領域に供給される。
【００１２】
前記流路形成部材は、前記第２給気口からの前記空気の送風方向を前記第２側に傾斜させる傾斜部を備える構成でもよい。こうすることにより、第１給気口からの空気の送風方向を第２給気口からの空気によって制御することができる。また、第１給気口からの空気を拡散して、表面の広い領域に当てることができる。
【００１３】
前記第１、第２給気口は、前記第１給気口からの空気と前記第２給気口からの空気とが前記表面の中心で衝突するように、それぞれ給気される前記空気の角度が異なっている構成でもよい。第１給気口からの空気と第２給気口からの空気とが表面の中心で衝突することによって、いわゆる衝突噴流冷却によって、光変調素子を効率良く冷却できる。
【００１４】
前記第２軸と平行な方向に関して前記第１給気口の前記第１側の開口端は、前記表面の中心よりも前記第１側とは反対側の第２側に配置される構成でもよい。こうすることにより、第１給気口からの空気は、例えば表面の中心に向けて良好に送風される。
【００１５】
前記第２軸と平行な方向に関して前記第２給気口の前記第２側の開口端は、前記表面の中心よりも前記第１側に配置される構成でもよい。こうすることにより、第２給気口からの空気は、例えば表面の中心に向けて良好に送風される。
【００１６】
前記第１給気口の前記第２側の開口端側の斜面の前記表面の中心に対する角度は、前記第２給気口の前記第１側の開口端側の斜面の前記表面の中心に対する角度と同じであり、前記第１給気口の前記第１側の開口端側の斜面の前記表面の中心に対する角度は、前記第２給気口の前記第２側の開口端側の斜面の前記表面の中心に対する角度と異なる構成でもよい。こうすることにより、表面の中心に対する第１給気口からの送風方向（送風角度）と、第２給気口からの送風方向（送風角度）とを異ならせることができる。したがって、空間において所望の気流が生成され、高い冷却効率を得ることができる。
【図面の簡単な説明】
【００１７】
【図１】本実施形態に係るプロジェクターの一例を示す図である。
【図２】本実施形態に係る冷却ユニットの一例を示す図である。
【図３】本実施形態に係る流路形成部材を上面側から見た図である。
【図４】本実施形態に係る流路形成部材を下面側から見た図である。
【図５】本実施形態に係る液晶パネルと給気口との関係を示す図である。
【図６】本実施形態に係る液晶パネルと給気口との関係を示す図である。
【図７】本実施形態に係る冷却ユニットの動作の一例を示す図である。
【図８】本実施形態に係る冷却ユニットの動作の一例を示す図である。
【発明を実施するための形態】
【００１８】
以下、本発明の実施形態について図面を参照しながら説明するが、本発明はこれに限定されない。
【００１９】
図１は、本実施形態に係るプロジェクター１の一例を示す図である。本実施形態において、プロジェクター１は、外装ケース１００と、外装ケース１００の内部空間ＳＰに配置された光学ユニット２と、内部空間ＳＰに配置された冷却ユニット３とを備える。また、プロジェクター１は、内部空間ＳＰに配置された電源装置２００と、内部空間ＳＰの空気を排出する排気ファン３００とを有する。
【００２０】
以下の説明においては、ＸＹＺ直交座標系を設定し、このＸＹＺ直交座標系を参照しつつ各部の位置関係について説明する。水平面内におけるプロジェクター１の投射方向をＸ軸方向、水平面内においてＸ軸方向と直交する方向をＹ軸方向、Ｘ軸方向及びＹ軸方向のそれぞれと直交する方向（すなわち鉛直方向）をＺ軸方向とする。また、Ｘ軸、Ｙ軸、及びＺ軸まわりの回転（傾斜）方向をそれぞれ、θＸ、θＹ、及びθＺ方向とする。なお、＋Ｘ方向を投射側、−Ｘ方向を背面側とする。
【００２１】
まず、本実施形態に係る光学ユニット２の一例について説明する。図１に示すように、本実施形態において、光学ユニット２は、照明光学系４と、色分離光学系５と、リレー光学系６と、光変調素子７００を含む画像形成系７と、色合成光学系７０４と、投射光学系８と、収容筐体９とを備える。
【００２２】
本実施形態において、光変調素子７００は、液晶パネルを含む。以下の説明において、光変調素子７００を適宜、液晶パネル７００、と称する。
【００２３】
本実施形態において、液晶パネル７００は、液晶パネル７００Ｒと、液晶パネル７００Ｇと、液晶パネル７００Ｂとを含む。以下の説明において、３つの液晶パネル７００Ｒ、７００Ｇ、７００Ｂを総称して、液晶パネル７００、と称する場合がある。
【００２４】
照明光学系４は、光源装置４０１と、第１レンズアレイ４０２と、第２レンズアレイ４０３と、偏光変換素子４０４と、重畳レンズ４０５とを備えている。
【００２５】
光源装置４０１は、光源ランプ（光源）４０１Ａと、リフレクタ４０１Ｂとを有する。光源ランプ４０１Ａは、例えばハロゲンランプを含む。リフレクタ４０１Ｂは、例えば放物面鏡を含む。光源ランプ４０１Ａから射出された放射状の光は、リフレクタ４０１Ｂで反射する。リフレクタ４０１Ｂは、光源ランプ４０１Ａからの光を平行光に変換する。
【００２６】
第１、第２レンズアレイ４０２、４０３はそれぞれ、例えばマトリクス状に配置された複数のマイクロレンズを含む。第２レンズアレイ４０３は、重畳レンズ４０５とともに、光源装置４０１からの光を均一化して、液晶パネル７００を照明する。
【００２７】
偏光変換素子４０４は、第２レンズアレイ４０３と重畳レンズ４０５との間に配置される。偏光変換素子４０４は、第２レンズアレイ４０３からの光を一定方向の偏光光に変換する。偏光変換素子４０４からの光（偏光光）は、重畳レンズ４０５によって液晶パネル７００に重畳される。
【００２８】
色分離光学系５は、２つのダイクロイックミラー５０１、５０２と、反射ミラー５０３とを有する。色分離光学系５は、照明光学系４からの光を、赤（Ｒ）、緑（Ｇ）、青（Ｂ）の３色の色光に分離する。以下の説明において、赤の色光を適宜、赤色光、と称し、緑の色光を適宜、緑色光、と称し、青の色光を適宜、青色光、と称する。
【００２９】
ダイクロイックミラー５０１は、照明光学系４からの光のうち、赤色光成分及び緑色光成分を透過し、青色光成分を反射する。ダイクロイックミラー５０２は、ダイクロイックミラー５０１からの光のうち、赤色光成分を透過し、緑色光成分を反射する。反射ミラー５０３は、ダイクロイックミラー５０２からの光（赤色光）を反射する。
【００３０】
画像形成系７は、入射した光を画像情報に応じて変調して、合成する。画像形成系７は、色分離光学系５からの各色光が入射する３つの入射側偏光板７０２と、それら入射側偏光板７０２の後段に配置される３つの液晶パネル７００Ｒ、７００Ｇ、７００Ｂと、各液晶パネル７００Ｒ、７００Ｇ、７００Ｂの後段に配置される３つの射出側偏光板７０３と、色合成光学系７０４とを備えている。
【００３１】
入射側偏光板７０２は、色分離光学系５からの各色光のうち、一定方向の偏光光のみ透過させ、その他の光を吸収する。 射出側偏光板７０３は、液晶パネル７００からの光のうち、所定方向の偏光光のみ透過させ、その他の光を吸収する。入射側偏光板７０２と射出側偏光板７０３とは、互いの偏光軸の方向が直交するように配置される。
【００３２】
本実施形態において、液晶パネル７００Ｒは、赤色光用の液晶パネルである。液晶パネル７００Ｇは、緑色光用の液晶パネルである。液晶パネル７００Ｂは、青色光用の液晶パネルである。
【００３３】
色分離光学系５からの青色光は、液晶パネル７００Ｂに供給される。本実施形態においては、ダイクロイックミラー５０１で反射した青色光が、反射ミラー５０３で反射し、フィールドレンズ７０１及び入射側偏光板７０２を介して、液晶パネル７００Ｂに入射する。
【００３４】
色分離光学系５からの緑色光は、液晶パネル７００Ｇに供給される。本実施形態においては、ダイクロイックミラー５０２で反射した緑色光が、フィールドレンズ７０１及び入射側偏光板７０２を介して、液晶パネル７００Ｇに入射する。
【００３５】
色分離光学系５からの赤色光は、液晶パネル７００Ｒに供給される。本実施形態においては、ダイクロイックミラー５０２を透過した赤色光は、リレー光学系６、フィールドレンズ７０１、及び入射側偏光板７０２を介して、液晶パネル７００Ｒに入射する。なお、リレー光学系６は、入射側レンズ６０１と、リレーレンズ６０３と、反射ミラー６０２、６０４とを有する。
【００３６】
色合成光学系７０４は、クロスダイクロイックプリズムを含み、射出側偏光板７０３から射出され、液晶パネル７００Ｒ、７００Ｇ、７００Ｂによってそれぞれ変調された光を合成する。
【００３７】
投射光学系８は、色合成光学系７０４で合成された光を拡大してスクリーンに投射する。
【００３８】
収容筐体９は、照明光学系４、色分離光学系５、リレー光学系６、液晶パネル７００を含む画像形成系７、色合成光学系７０４、及び投射光学系８を保持する。収容筐体９は、照明光学系４、色分離光学系５、リレー光学系６、液晶パネル７００を含む画像形成系７、色合成光学系７０４、及び投射光学系８を収容する空間を形成する。収容筐体９は、例えば合成樹脂製である。
【００３９】
次に、冷却ユニット３について説明する。図２は、本実施形態に係る冷却ユニット３の一例を示す図である。
【００４０】
本実施形態において、液晶パネル７００の表面は、光源装置４０１からの光が入射する入射面、及び光を射出する射出面の一方又は両方を含む。液晶パネル７００の入射面と対向する位置に、入射側偏光板７０２が配置される。液晶パネル７００の射出面と対向する位置に、射出側偏光板７０３が配置される。液晶パネル７００の入射面が面する空間は、その液晶パネル７００の入射面と入射側偏光板７０２との間の空間を含む。液晶パネル７００の射出面が面する空間は、その液晶パネル７００の射出面と射出側偏光板７０３との間の空間を含む。
【００４１】
本実施形態において、冷却ユニット３は、液晶パネル７００の入射面が面する空間に空気を送風して、その液晶パネル７００及び入射側偏光板７０２を冷却する。また、冷却ユニット３は、液晶パネル７００の射出面が面する空間に空気を送風して、その液晶パネル７００及び射出側偏光板７０３を冷却する。
【００４２】
なお、冷却ユニット３の冷却対象は、液晶パネル７００、入射側偏光板７０２、及び射出側偏光板７０３の他に偏光変換素子４０４も含まれる。また、電源装置２００にも空気を供給して、その電源装置を冷却してもよい。
【００４３】
図１及び図２において、冷却ユニット３は、空気を送出可能な空気供給装置１０と、空気供給装置１０からの空気が流れる流路１３を有する流路形成部材１１（１１Ａ、１１Ｂ）と、流路形成部材１１の空気を吹き出す給気口２１〜２３、３１〜３４、４１〜４３、５０とを備える。
【００４４】
本実施形態において、給気口２１〜２３、３１〜３４、４１〜４３、５０は、光学ユニット２の下方から、光学ユニット２の少なくとも一部に対して空気を吹き上げるように送風する。
【００４５】
給気口２１〜２３は、液晶パネル７００Ｂの表面が面する空間に空気を送風して、その液晶パネル７００Ｂを冷却する。給気口２１〜２３は、液晶パネルＢの表面の下端と対向するように配置される。給気口２１、２２は、液晶パネル７００Ｂの入射面と入射側偏光板７０２との間の空間に空気を送風して、その液晶パネル７００Ｂ及び入射側偏光板７０２を冷却する。給気口２３は、液晶パネル７００Ｂの射出面と射出側偏光板７０３との間の空間に空気を送風して、その液晶パネル７００Ｂ及び射出側偏光板７０３を冷却する。
【００４６】
給気口３１〜３４は、液晶パネル７００Ｇの表面が面する空間に空気を送風して、その液晶パネル７００Ｇを冷却する。給気口３１〜３４は、液晶パネル７００Ｂの表面の下端と対向するように配置される。給気口３１、３２は、液晶パネル７００Ｇの入射面と入射側偏光板７０２との間の空間に空気を送風して、その液晶パネル７００Ｇ及び入射側偏光板７０２を冷却する。給気口３３、３４は、液晶パネル７００Ｇの射出面と射出側偏光板７０３との間の空間に空気を送風して、その液晶パネル７００Ｇ及び射出側偏光板７０３を冷却する。
【００４７】
給気口４１〜４３は、液晶パネル７００Ｒの表面が面する空間に空気を送風して、その液晶パネル７００Ｒを冷却する。給気口４１〜４３は、液晶パネル７００Ｒの表面の下端と対向するように配置される。給気口４１、４２は、液晶パネル７００Ｒの入射面と入射側偏光板７０２との間の空間に空気を送風して、その液晶パネル７００Ｒ及び入射側偏光板７０２を冷却する。給気口４３は、液晶パネル７００Ｒの射出面と射出側偏光板７０３との間の空間に空気を送風して、その液晶パネル７００Ｒ及び射出側偏光板７０３を冷却する。
【００４８】
給気口５０は、偏光変換素子４０４の表面が面する空間に空気を送風して、その偏光変換素子４０４を冷却する。
【００４９】
本実施形態において、液晶パネル７００Ｒは、ＸＺ平面と入射面及び射出面とがほぼ平行となるように配置される。液晶パネル７００Ｒの入射面は、＋Ｙ方向を向き、射出面は、−Ｙ方向を向く。液晶パネル７００Ｇは、ＹＺ平面と入射面及び射出面とがほぼ平行となるように配置される。液晶パネル７００Ｇの入射面は、−Ｘ方向を向き、射出面は、＋Ｘ方向を向く。液晶パネル７００Ｂは、ＸＺ平面と入射面及び射出面とがほぼ平行となるように配置される。液晶パネル７００Ｇの入射面は、−Ｙ方向を向き、射出面は、＋Ｙ方向を向く。
【００５０】
空気供給装置１０は、プロジェクター１の外部空間の空気（外気）を取り入れて、プロジェクター１の内部空間ＳＰに空気を送風する。なお、プロジェクター１の外部空間は、プロジェクター１の外装ケース１００の外部空間を含み、プロジェクター１の内部空間ＳＰは、プロジェクター１の外装ケース１００の内部空間ＳＰを含む。空気供給装置１０は、取り入れる外部空間の空気（外気）のごみ、埃等の異物を除去するフィルターユニット１３０、及び取り入れた外気をプロジェクター１の内部空間ＳＰに送風可能な給気部１２を有する。給気部１２はシロッコファン等の給気ファンで構成される。
【００５１】
流路形成部材１１は、給気部１２からの空気を各光学素子に導くように形成されている。流路形成部材１１Ａは、空気供給装置１０の給気部１２からの空気を、複数の給気口２１〜２３、３１〜３４、４１〜４３のそれぞれに分配して導く。流路形成部材１１Ｂは、空気供給装置１０の給気部１２からの空気を、給気口５０に導く。
【００５２】
図３は、流路形成部材１１を上面１４側（＋Ｚ側）から見た図、図４は、流路形成部材１１を下面１５側（−Ｚ側）から見た図である。流路形成部材１１は、給気部１２からの空気を分配する複数のガイド部１６Ａ、１６Ｂ、１６Ｃ、１６Ｄ、１６Ｅを有する。ガイド部１６Ａ〜１６Ｅは、流路形成部材１１の下面１５に形成される。本実施形態において、給気部１２は、流路形成部材１１の下面１５が面する空間Ｓ１５（下面１５側の空間Ｓ１５）に空気を送風する。給気部１２から送出された空気は、流路形成部材１１の下面１５側の空間Ｓ１５において、ガイド部１６Ａ〜１６Ｅにガイドされながら流れる。
【００５３】
空気の流れを具体的に説明する。給気部１２から送出された空気は、ガイド部１６Ａ〜１６ＣによりＡ１，Ａ２，Ａ３、Ａ４の４つに分配される。
【００５４】
空気Ａ１は、ガイド部１６Ａに沿って流れ、給気口２２から、液晶パネル７００Ｂの入射面と入射側偏光板７０２との間の空間に送風される。
【００５５】
空気Ａ２は、ガイド部１６Ａと１６Ｂとの間を流れ、ガイド部１６Ｄにより、さらに空気Ａ５，Ａ６に分配される。空気Ａ５は、ガイド部１６Ａと１６Ｄとの間を流れ、給気口４１、４２、４３に進む。給気口４１、４２からは、液晶パネル７００Ｒの入射面と入射側偏光板７０２との間の空間に送風され、給気口４３からは、液晶パネル７００Ｒの射出面と射出側偏光板７０３との間の空間に送風される。さらに、空気Ａ５の一部は、給気口２３へ進み、液晶パネル７００Ｂの射出面と射出側偏光板７０３との間の空間に送風される。
【００５６】
空気Ａ６は、ガイド部１６Ｄと１６Ｂとの間を流れ、空気Ａ５の一部と合流した後、給気口２３へ進み、液晶パネル７００Ｂの射出面と射出側偏光板７０３との間の空間に送風される。
【００５７】
空気Ａ３は、ガイド部１６Ｂと１６Ｃとの間を流れ、ガイド部１６Ｅにより、さらに空気Ａ７，Ａ８に分配される。
【００５８】
空気Ａ７は、ガイド部１６Ｂと１６Ｅの間を流れ、給気口３３，３４に進み、液晶パネル７００Ｇの射出面と射出側偏光板７０３との間の空間に送風される。さらに、空気Ａ７の一部は、給気口２１へ進み、液晶パネル７００Ｂの射出面と射出側偏光板７０３との間の空間に送風される。
【００５９】
空気Ａ８は、ガイド部１６Ｅと１６Ｂとの間を流れ、給気口３１，３２に進み、液晶パネル７００Ｇの入射面と入射側偏光板７０２との間の空間に送風される。さらに、空気Ａ８の一部は、給気口２１へ進み、液晶パネル７００Ｂの射出面と射出側偏光板７０３との間の空間に送風される。
【００６０】
空気Ａ４は、ガイド部１６Ｃに沿って流れ、給気口２１から、液晶パネル７００Ｂの入射面と入射側偏光板７０２との間の空間に送風される。空気Ａ４の一部は、流路形成部材１１Ｂへ流れ、給気口５０から偏光変換素子４０４の表面が面する空間に送風される。
【００６１】
図５は、液晶パネル７００Ｇと給気口３１、３２との関係の一例を示す図である。図５は、液晶パネル７００Ｇを入射面ＦＧ側から見た図である。流路形成部材１１は、断面で表している。
【００６２】
図５において、液晶パネル７００Ｇは、ＹＺ平面と入射面ＦＧとが略平行となるように配置される。給気口３１、３２は、入射面ＦＧの下側（−Ｚ側）に並んで配置され、空間ＳＧに空気を送風する。空間ＳＧは、液晶パネル７００Ｇと入射側偏光板７０２との間の空間を含む。
【００６３】
本実施形態において、給気口３２は、給気口３１の第１側としての流路下流側（−Ｙ側）に配置される。なお、給気口３１が配置されている方向は、第１側の反対側である第２側としての流路上流側とする。
【００６４】
給気口３２の面積は、給気口３１の面積よりも小さく形成されている。少なくとも空気が流れる方向（Ｙ軸方向）の給気口３２の寸法は、給気口３１の寸法よりも小さくなるように形成されている。なお、本実施形態においては、Ｘ軸方向に関する給気口３２の寸法は、給気口３１の寸法とほぼ等しく形成されている。
【００６５】
図５に示す例では、給気口３１の流路上流側（＋Ｙ側）の開口端３１Ａは、空間ＳＧ（入射面ＦＧ）よりも、流路上流側に配置される。また、給気口３１の流路下流側の開口端３１Ｂは、空間ＳＧ（入射面ＦＧ）の中心を通る中心線ＣＬＧよりも、流路下流側に配置される。
【００６６】
給気口３２の流路上流側の開口端３２Ａは、中心線ＣＬＧよりも、流路下流側に配置される。また、給気口３２の流路下流側の開口端３２Ｂは、空間ＳＧ（入射面ＦＧ）の流路下流側端部よりも、流路上流側に配置される。流路形成部材１１は、開口端３２Ｂが基端３２Ｃに対して流路上流側（＋Ｙ側）となるように傾斜した傾斜部３２ＢＳを備える。
【００６７】
なお、開口端３１Ａが、空間ＳＧ（入射面ＦＧ）の流路上流側端部よりも、流路下流側に配置されてもよい。また、開口端３１Ｂが、中心線ＣＬＧよりも、流路上流側に配置されてもよい。また、開口端３２Ａが、中心線ＣＬＧよりも、流路上流側に配置されてもよい。また、開口端３２Ｂが、空間ＳＧ（入射面ＦＧ）の流路下流側端部よりも、流路下流側に配置されてもよい。
【００６８】
図６は、液晶パネル７００Ｂと給気口２１、２２との関係の一例を示す図である。図６は、液晶パネル７００Ｂを入射面ＦＢ側から見た図である。流路形成部材１１は、断面で表している。
【００６９】
図６において、液晶パネル７００Ｂは、ＸＺ平面と入射面ＦＢとがほぼ平行となるように配置される。給気口２１、２２は、空間ＳＢの下側（−Ｚ側）に並んで配置され、空間ＳＢに空気を送風する。空間ＳＢは、液晶パネル７００Ｂと入射側偏光板７０２との間の空間を含む。
【００７０】
本実施形態において、給気口２２は、Ｘ軸方向に関して給気口２１の第１側としての投射側（＋Ｘ側）に配置される。なお、給気口２１が配置されている方向は、第１側の反対側である第２側としての背面側とする。
【００７１】
給気口２１の面積は、給気口２２の面積とほぼ等しくなるように形成されている。本実施形態において、投射方向（Ｘ軸方向）に関する給気口２１の寸法は、給気口２２の寸法とほぼ等しい。また、本実施形態においては、Ｙ軸方向に関する給気口２１の寸法は、給気口２２の寸法とほぼ等しく形成されている。
【００７２】
なお、給気口２１の面積（寸法）と給気口２２の面積（寸法）とが異なってもよい。
【００７３】
図６に示す例では、給気口２１の投射側（＋Ｘ側）の開口端２１Ｂは、空間ＳＢ（入射面ＦＢ）の中心を通る中心線ＣＬＢよりも、第１側としての投射側の反対側である第２側としての背面側（−Ｘ側）に配置される。給気口２１の背面側の開口端２１Ａは、空間ＳＢ（入射面ＦＢ）の背面側端部よりも、投射側に配置される。
【００７４】
また給気口２２の背面側の開口端２２Ａは、中心線ＣＬＢよりも、投射側に配置される。給気口２２の投射側の開口端２２Ｂは、空間ＳＢ（入射面ＦＢ）の投射側端部よりも、背面側に配置される。
【００７５】
なお、開口端２１Ａが、空間ＳＢ（入射面ＦＢ）の背面側端面よりも、背面側に配置されてもよい。開口端２１Ｂが、中心線ＣＬＢよりも、投射側に配置されてもよい。
【００７６】
また、開口端２２Ａが、中心線ＣＬＢよりも、背面側に配置されてもよい。開口端２２Ｂが、空間ＳＢ（入射面ＦＢ）の投射側の開口端よりも、投射側に配置されてもよい。
【００７７】
また、本実施形態においては、給気口２１の背面側（−Ｘ側）の開口端２１Ａ側の斜面２１ＡＳの中心線ＣＬＢに対する角度ａは、給気口２２の投射側（＋Ｘ側）の開口端２２Ｂ側の斜面２２ＢＳの中心線ＣＬＢに対する角度ｂと同じである。
【００７８】
また、給気口２１の投射側（＋Ｘ側）の開口端２１Ｂ側の斜面２１ＢＳの中心線ＣＬＢに対する角度ｃは、給気口２２の背面側（−Ｘ側）の開口端２２Ａ側の斜面２２ＡＳの中心線ＣＬＢに対する角度ｄと異なる。
【００７９】
また、本実施形態においては、斜面２１ＡＳと斜面２１ＢＳとがなす角度ｅと、斜面２２ＡＳと斜面２２ＢＳとがなす角度ｆとは異なる。本実施形態においては、角度ｅは、角度ｆよりも小さい。
【００８０】
図７は、給気口３１、３２から空間ＳＧに空気が送風されている状態の一例を示す図である。図７に示すように、給気口３２から送風される空気Ｈ２は、傾斜部３２ＢＳによって流路上流側（＋Ｙ側）に向けて送風方向を傾斜させられている。
【００８１】
本実施形態においては、給気口３１は大きく、流路１３の空気の流速と給気口３１から送風される空気Ｈ１の流速とは、ほぼ同じになる。
【００８２】
また、本実施形態においては、給気口３１からの空気Ｈ１の少なくとも一部は、給気口３１と空間ＳＧとの間Ｂにおいて、流路下流側（−Ｙ側）に向かって流れる。
【００８３】
すなわち、本実施形態においては、給気口３１からの空気Ｈ１は、流路１３を流れてきているため、給気口３１からも流路下流側（−Ｙ側）に向かって流れようとする。給気口３２からは、給気口３１からの空気の流れ（流れの向き）を調整するように、流路上流側（＋Ｙ側）に空気Ｈ２を送風する。
【００８４】
給気口３１からの空気Ｈ１は、給気口３２からの空気Ｈ２と合流することによって、送風方向が流路上流側（＋Ｙ側）に変更される。これにより、給気口３１からの空気Ｈ１と給気口３２からの空気Ｈ２とが合流して、Ｚ軸に沿って流れる空気Ｈ３となる。そのため、液晶パネル７００Ｇの入射面ＦＧのほぼ全域に多くの空気が送風される。液晶パネル７００Ｇ及び入射側偏光板７０２の全域に空気が送付されることにより、液晶パネル７００Ｇ及び入射側偏光板７０２は効率良く冷却される。
【００８５】
図８は、給気口２１、２２から空間ＳＢに空気が送風されている状態の一例を示す図である。図８に示すように、給気口２１は、投射側（＋Ｘ側）に向けて空気を送風する。給気口２２は、背面側（−Ｘ側）に向けて空気を送風する。
【００８６】
給気口２１は、空間ＳＢ（入射面ＦＢ）の中心に対して−Ｘ側から、空間ＳＢ（入射面ＦＢ）の中心に向けて空気を送風する。給気口２２は、空間ＳＢ（入射面ＦＢ）の中心に対して＋Ｘ側から、空間ＳＢ（入射面ＦＢ）の中心に向けて空気を送風する。
【００８７】
給気口２１、２２は、給気口２１からの空気と給気口２２からの空気とが空間ＳＢ（入射面ＦＢ）の中心で衝突するように、それぞれ給気される空気の角度が異なっている。給気口２１からの空気と給気口２２からの空気とは、空間ＳＢ（入射面ＦＢ）の中心で衝突する。これにより、いわゆる衝突噴流冷却が行われる。
【００８８】
図６及び図８に示すように、給気口２１に向かって徐々に小さくなるように（絞られるように）、流路１３が形成される。同様に、給気口２２に向かって徐々に小さくなるように（絞られるように）、流路１３が形成される。これにより、給気口２１、２２からの空気の流速が増す。例えば、給気口２１、２２から送風される空気の流速は、流路１３の空気の流速よりも増す。したがって、良好な冷却効率が得られる。
【００８９】
上述したように、角度ｅと角度ｆとは異なり、給気口２１から送風される空気の流速と、給気口２１から送風される空気の流速とは、異なる。また、角度ｃと角度ｄとは異なり、給気口２１からの送風方向（空間ＳＢの中心に対する送風角度）と、給気口２２からの送風方向（空間ＳＢの中心に対する送風角度）とは異なる。それら給気口２１からの空気と給気口２２からの空気とが、空間ＳＢ（入射面ＦＢ）の中心で衝突することにより、良好な冷却効率が得られる。また、斜面２１ＡＳと斜面２２ＢＳの中心線に対する角度ａと角度ｂとは同じであり、給気口２１，２２からの送風角度は、斜面２１ＢＳと斜面２２ＡＳの角度によって調整されている。中心線ＣＬＢに対して外側の斜面２１ＡＳと斜面２２ＢＳの角度とが同じであることにより、給気口２１，２２から送風される冷却空気を空間ＳＢ（入射面ＦＢ）のほぼ中心に向かわせながら、内側の斜面２１ＡＳと斜面２２ＢＳの角度を調整することにより、冷却空気の衝突位置の精度を高めている。
【００９０】
これにより、空間ＳＢにおいて、所望の空気の流れが生成される。液晶パネル７００Ｂ及び入射側偏光板７０２は、給気口２１、２２からの空気によって効率良く冷却される。
【００９１】
以上説明したように、本実施形態によれば、Ｚ軸と平行な方向に関して液晶パネル７００の表面の下端と対向するように、表面が面する空間に空気を送風可能な給気口２１、２２（３１、３２）を設けたので、液晶パネル７００を効率良く冷却できる。給気口２１、２２（３１、３２）が、Ｘ軸（Ｙ軸）に沿って配置されているため、空間において所望の気流を生成できる。したがって、冷却効率の向上が図れる。また、空気供給装置１０からの空気を複数の給気口２１、２２（３１、３２）に分配する流路１３を設けたので、１つの空気供給装置１０から複数の給気口２１、２２（３１、３２）のそれぞれに空気を送風することができる。したがって、装置の大型化、複雑化が抑制される。
【００９２】
また、本実施形態においては、１つの空気供給装置１０からの空気を、２つの給気口２１、２２（３１、３２）のそれぞれから空間に送風することにより、例えば１つの給気口から空気を送風する場合に比べて、良好な冷却効率を得ることができる。例えば、流路１３を流れる空気が、面積Ｗ１の給気口２１（３１）及び面積Ｗ２の給気口２２（３２）のそれぞれから送風される場合、面積Ｗ（＝Ｗ１＋Ｗ２）の１つの給気口から送風される場合に比べて、高い流速を得ることができる。したがって、良好な冷却効率を得ることができる。
【００９３】
なお、本実施形態においては、給気口２１、２２からの空気で液晶パネル７００Ｂを冷却することとしたが、液晶パネル７００Ｒを冷却してもよいし、液晶パネル７００Ｇを冷却してもよい。
【００９４】
なお、本実施形態においては、給気口３１、３２からの空気で液晶パネル７００Ｇを冷却することとしたが、液晶パネル７００Ｒを冷却してもよいし、液晶パネル７００Ｂを冷却してもよい。
【００９５】
なお、本実施形態においては、液晶パネル７００と入射側偏光板７０２との間に空気を送風することとしたが、もちろん、液晶パネル７００と射出側偏光板７０３との間に空気を送風してもよい。
【００９６】
なお、本実施形態においては、光変調素子が液晶パネルであることとしたが、例えばデジタルマイクローミラーでもよい。
【符号の説明】
【００９７】
１…プロジェクター、２…光学ユニット、３…冷却ユニット、２１…給気口、２１Ａ…開口端、２１Ｂ…開口端、２２…給気口、２２Ａ…開口端、２２Ｂ…開口端、３１…給気口、３１Ａ…開口端、３１Ｂ…開口端、３２…給気口、３２Ａ…開口端、３２Ｂ…開口端、７００…液晶パネル、７００Ｒ…液晶パネル、７００Ｇ…液晶パネル、７００Ｂ…液晶パネル、ＦＧ…入射面、ＦＢ…入射面、ＳＧ…空間、ＳＢ…空間
【図１】
0005793920.tif 000002
【図２】
0005793920.tif 000003
【図３】
0005793920.tif 000004
【図４】
0005793920.tif 000005
【図５】
0005793920.tif 000006
【図６】
0005793920.tif 000007
【図７】
0005793920.tif 000008
【図８】
0005793920.tif 000009